(57)【要約】【課題】ペットのブラッシング作業が容易且つ確実に行え、同時に小型化が図れるペット用ブラッシング装置を提供すること。【解決手段】基台１０上にケース７０を被せることで、ケース７０内をペット収納空間Ａ１とする。ケース７０には、人の手を挿入する手挿入口８７と、ペット収納空間Ａ１内の空気を排気する排気部８３とを設ける。基台１０上にはペット収納空間Ａ１内に収納したペットＣ１を載置して回転させるターンテーブル５０を設置する。【選択図】図８
2012175919.tif 000002
【特許請求の範囲】
【請求項１】
基台上にケースを被せることで、ケース内をペット収納空間とし、
前記ケースには、人の手を挿入する手挿入口と、ペット収納空間内の空気を排気する排気部とを設け、
さらに前記基台上にはペット収納空間内に収納したペットを載置して回転させるターンテーブルを設置したことを特徴とするペット用ブラッシング装置。
【請求項２】
請求項１に記載のペット用ブラッシング装置であって、
前記ケースは、外部からペット収納空間内が見える透明な窓を有し、且つ窓以外の部分を不透明に構成したことを特徴とするペット用ブラッシング装置。
【請求項３】
請求項２に記載のペット用ブラッシング装置であって、
前記窓はケース上面の外周近傍位置に設けられ、且つ前記手挿入口は前記ケースの窓の両側位置に設けられ、
さらに前記ケースは、窓の部分の高さよりもその他の部分の高さを低く構成することでペット収納空間の容積を小さくしたことを特徴とするペット用ブラッシング装置。
【請求項４】
請求項３に記載のペット用ブラッシング装置であって、
前記窓には、小孔からなる音声透過部が設けられていることを特徴とするペット用ブラッシング装置。
【請求項５】
請求項２乃至４の内の何れかに記載のペット用ブラッシング装置であって、
前記ケースの内壁面の、前記手挿入口から挿入した手が届く位置に、ブラッシング用器具収納ポケットを設けたことを特徴とするペット用ブラッシング装置。
【発明の詳細な説明】
【技術分野】
【０００１】
本発明は、ペットのブラッシングを、容易且つスムーズに、抜け毛を飛散させることなく行うことができるペット用ブラッシング装置に関するものである。
【背景技術】
【０００２】
従来から、猫や犬等のペットは抜け毛があるため、人が強制的にブラッシングを行なっていた。そしてペットのブラッシングを室内で行うような場合、大量の抜け毛が発生するが、その一部が飛散し、室内を汚したり、また人体に影響（アレルギー等）を与える恐れがあった。
【０００３】
このため従来、ペットをケース内に収納し、ケース内でペットのブラッシングを行うと共に、ケース内の空気を掃除機などのバキューム装置で吸引して排気するブラッシング装置が考えられている（例えば特許文献１）。
【先行技術文献】
【特許文献】
【０００４】
【特許文献１】実用新案登録第３０２９９５８号公報
【発明の概要】
【発明が解決しようとする課題】
【０００５】
しかしながら上記従来のブラッシング装置においては以下のような問題点があった。
（１）ケース内のペットをブラッシングする際は、ペットの姿勢を変更（回転）しながらブラッシングした方がその作業が容易且つ確実に行える。しかしながらケース内に挿入した人の手でペットを回転しようとすると、これにペットが抵抗し、必ずしも容易にはペットの姿勢を変えることができず、容易且つ十分なブラッシングが行えなかった。特にケースが小さい場合、なおさらである。
【０００６】
（２）猫のブラッシングは、ケースを透明にした方がその作業がやり易い。しかしながら猫は、暗くて狭い場所に隠れると安心するので、ケースを透明にするとケース内の猫がおびえて静かにしておられず、容易且つ確実なブラッシングが行えなくなる恐れがあった。
【０００７】
本発明は上述の点に鑑みてなされたものでありその目的は、ペットのブラッシング作業が容易且つ確実に行え、同時に小型化が図れるペット用ブラッシング装置を提供することにある。
【課題を解決するための手段】
【０００８】
本願請求項１に記載の発明は、基台上にケースを被せることで、ケース内をペット収納空間とし、前記ケースには、人の手を挿入する手挿入口と、ペット収納空間内の空気を排気する排気部とを設け、さらに前記基台上にはペット収納空間内に収納したペットを載置して回転させるターンテーブルを設置したことを特徴とするペット用ブラッシング装置にある。
【０００９】
本願請求項２に記載の発明は、請求項１に記載のペット用ブラッシング装置であって、前記ケースは、外部からペット収納空間内が見える透明な窓を有し、且つ窓以外の部分を不透明に構成したことを特徴とするペット用ブラッシング装置にある。
【００１０】
本願請求項３に記載の発明は、請求項２に記載のペット用ブラッシング装置であって、前記窓はケース上面の外周近傍位置に設けられ、且つ前記手挿入口は前記ケースの窓の両側位置に設けられ、さらに前記ケースは、窓の部分の高さよりもその他の部分の高さを低く構成することでペット収納空間の容積を小さくしたことを特徴とするペット用ブラッシング装置にある。
【００１１】
本願請求項４に記載の発明は、請求項３に記載のペット用ブラッシング装置であって、前記窓には、小孔からなる音声透過部が設けられていることを特徴とするペット用ブラッシング装置にある。
【００１２】
本願請求項５に記載の発明は、請求項２乃至４の内の何れかに記載のペット用ブラッシング装置であって、前記ケースの内壁面の、前記手挿入口から挿入した手が届く位置に、ブラッシング用器具収納ポケットを設けたことを特徴とするペット用ブラッシング装置にある。
【発明の効果】
【００１３】
請求項１に記載の発明によれば、ペット収納空間内にペットを収納し、ケースの排気部に排気ホースなどを接続してペット収納空間内の空気を排気部から外部に排気すると同時に、手挿入口から挿入した人の手によってペットをブラッシングすれば、ペットの毛は排気部から外部に吸い出されて排出される。そしてブラッシングの際、ターンテーブルに載せたペットを手によって回転すれば、容易にペットを回転できてその姿勢を変えることができ、ペット全身のブラッシングを容易且つ確実に行うことができる。
【００１４】
ペット（特に猫）は狭くて暗い場所（押し入れ、小さな箱、紙袋など）に入るのを好む。そして請求項２に記載の発明によれば、ケースの窓以外の部分は外部から見えない暗くて狭い場所になるので、ペットは安心してその中に入っていることができる。このため暴れたりしない。これによってペットのブラッシングを容易且つ確実に行うことができる。
【００１５】
請求項３に記載の発明によれば、ケースの窓をケース上面の外周近傍位置に設け且つ窓の部分の高さをその他の部分の高さよりも高くし、さらに手挿入口をケースの窓の両側位置に設けているので、人が両方の手挿入口から手を入れて窓からペットを見ながらペットのブラッシングを行う作業が容易に行える。一方、ケースの窓を設けていない部分はその高さが低いので、ペット収納空間の容積を小さくでき、狭くて暗い場所で安心するペット（特に猫）に好適なペット収納空間となる。またペット収納空間の容積を小さくできるので、排気効果が増大し、より効果的な毛の排出が行える。つまり請求項３に記載の発明によれば、人にとってペットのブラッシング作業が行い易い構造であると同時にペット（特に猫）にとっても快適な空間となって騒ぐことを防止でき、これらの相乗効果によってペットのブラッシングが容易且つ確実に行えるようになる。
【００１６】
請求項４に記載の発明によれば、ブラッシングを行う人（飼い主など）の声がペットに聞こえやすくなり、より大きい安心感をペットに与えることができる。この点からもペットのブラッシングが容易且つ確実に行えるようになる。
【００１７】
請求項５に記載の発明によれば、ブラッシング用器具収納ポケットにブラッシング用器具（例えばブラシ、ハサミ、櫛など）を収納しておくことができるので、一々手挿入口から手を抜き出して異なるブラッシング用器具に持ち替えて再び手挿入口から手を挿入する必要はなく、ケース内に手を挿入したままでブラッシング用器具を持ち替えることができ、ブラッシング作業性が向上するばかりか、ペットの毛が手挿入口から外部に出ることを防止できる。
【図面の簡単な説明】
【００１８】
【図１】ペット用ブラッシング装置１の側断面図である。
【図２】ペット用ブラッシング装置１の側面図である。
【図３】ペット用ブラッシング装置１の斜視図である。
【図４】ペット用ブラッシング装置１を背面側から見た斜視図である。
【図５】基台１０の分解斜視図である。
【図６】ターンテーブル５０を下面側から見た斜視図である。
【図７】ブラッシング装置１の使用方法説明図である。
【図８】ブラッシング装置１の使用方法説明図である。
【図９】ブラッシング装置１の使用方法説明図である。
【発明を実施するための形態】
【００１９】
以下、本発明の実施形態を図面を参照して詳細に説明する。
図１は本発明の一実施形態にかかるペット用ブラッシング装置（以下単に「ブラッシング装置」という）１の側断面図、図２は側面図、図３は正面側から見た斜視図、図４は背面側から見た斜視図である。これらの図に示すようにブラッシング装置１は、基台１０上にケース７０を被せることで構成されている。
【００２０】
図５は基台１０の分解斜視図である。同図に示すように基台１０は、円板形状の基台本体２０の上面に、円板形状のターンテーブル５０を回転自在に設置して構成されている。基台本体２０は合成樹脂や木材等を円板形状に形成して構成されており、その下面の複数個所（同一円周上で等間隔の位置、この例では４か所）には脚部３０が取り付けられている。基台本体２０の上面の中央には円形の凹部からなる軸支部２１が形成され、また基台本体２０の上面の外周近傍の同一円周上（軸部２１を中心とする同一円周上）には、等間隔に複数（この例では４つ）のボール受け部２３が形成されている。ボール受け部２３は球状のボール３５を回転自在に収納する凹部によって構成されており、その開口部周辺にはその内径を大きくすると共にその内周面にメネジを形成してなる蓋取付部２５が形成されている。
【００２１】
ボール３５は合成樹脂やゴムや金属からなる球体によって構成され、前記ボール受け部２３に収納されてスムーズに回転する寸法に形成されている。蓋３７は円板状であって中央に円形のボール露出孔３９が形成されている。ボール露出孔３９の内径寸法はボール３５の外径寸法よりも小さく形成されている。蓋３７の外径寸法は前記蓋取付部２５の内径寸法と略同一に形成されており、その外周には前記蓋取付部２５の内周面に設けたメネジに螺合するオネジが形成されている。また蓋３７の厚み寸法は前記蓋取付部２５の深さ寸法と略同一である。
【００２２】
脚部３０は基台本体２０に折り畳み自在に取り付けられる第１脚部４１と、第１脚部４１の先端に突出・引っ込み自在に取り付けられる第２脚部４３とを具備して構成されている。第１脚部４１と第２脚部４３の連結部分には、第１脚部４１からの第２脚部４３の突出長さを調節することで脚部３０全体の長さを調節する長さ調節手段４５が内蔵されている。第１脚部４１はその根元部分に折り畳み機構が取り付けられており、図５に示す立脚位置と、第１脚部４１を基台本体２０の裏面の中心方向に向けて折り畳んだ位置とで係止するように構成されている。長さ調節手段４５は第１脚部４１の先端近傍の側面から突出するロック用押釦４７を有し、このロック用押釦４７を押圧することでロックを外せば、第２脚部４３が伸縮できる。ロック用押釦４７による第２脚部４３のロック位置は、図５に実線で示す中間位置と、第２脚部４３をほぼ第１脚部４１内に収納した最短位置と、第２脚部４３を最も伸ばした図５に点線で示す最長位置（中間位置よりもほぼ２倍の長さに延ばした位置）とである。第２脚部４３の先端にはゴムや合成樹脂製の滑り止め４９が取り付けられている。
【００２３】
図６はターンテーブル５０を下面側から見た斜視図である。図５及び図６に示すようにターンテーブル５０は円板状であって、例えば合成樹脂によって構成され、その外径寸法は基台本体２０の外径寸法よりも少し小さい寸法に形成されている。ターンテーブル５０の上面の外周近傍には上方向に突出する縁部５１が形成されている。縁部５１はターンテーブル５０上に落ちた毛がターンテーブル５０から落ちにくくするために設けられている。ターンテーブル５０の下面中央には下方向に向かって突出して前記基台本体２０の軸支部２１に回動自在に挿入される軸部５３が設けられ、またターンテーブル５０の下面の外周近傍にはリング状に溝５５が形成されている。溝５５はその横断面（溝５５の長手方向に垂直な面、図１に表れている横断面）が浅い円弧状となっており、前記ボール３５の外周面を接触させる曲率半径となっている。
【００２４】
以上説明した基台本体２０の上面やターンテーブル５０の上下面は略平面状で複雑な凹凸形状になっていないので、ペットの毛が溜まりにくく、このため基台１０の分解清掃は容易に行え、また分解・組み立て作業も容易に行える。
【００２５】
ケース７０は略ドーム形状に形成され、その外径寸法は前記基台本体２０の外径寸法とほぼ同一に形成されている。従ってこのケース７０は基台本体２０上面の外周上に被せるように載置され、ケース７０と基台１０の上面とによって略密閉されたペット収納空間Ａ１が形成される。ケース７０は、そのほぼ全体を不透光性材料で形成したケース本体７１と、ケース本体７１の一部に取り付けられる透光性の材料からなる透明な窓７３とを具備している。
【００２６】
ケース本体７１はさらに２つの部材によって構成されており、ケース本体７１の外周部分を構成するケース本体部８０と、ケース本体部８０の上部に設けたペット出入口８１（図９参照）を塞ぐ蓋部１００とを具備している。ケース本体部８０と蓋部１００は同一の材料によって構成されており、何れも薄板状で不透光性の合成樹脂（つまり不透明な合成樹脂）によって構成されている。ケース本体部８０と蓋部１００とを合わせたケース本体７１全体の形状は、窓７３を取り付けた部分の高さよりもその他の部分の高さが低くなるように構成している。言い換えればケース本体７１の窓７３を取り付ける部分以外の部分を低くすることでペット収納空間Ａ１の天井を低くし、その容積が小さくなるようにしている。
【００２７】
ケース本体部８０の窓７３から離れた位置には、管状に突出する排気部８３が設けられている。排気部８３はケース本体７１の外周壁の上部から斜め下方に向けて突出しており、その先端は着脱部８５となっている。排気部８３は筒状に形成されているが、ケース本体７１の外周壁に接続している部分は上下方向が潰れた横断面略楕円形状に形成され、先端に向かって徐々に横断面略円形になるようにしている。これは前記接続している部分における排気部８３の高さ（厚み）を低く（薄く）することでケース本体７１の高さをできるだけ低くするためである。着脱部８５にはその内部に排気ホース１２０の取付部１２１が挿入（圧入）されることで着脱自在に取り付けられる。着脱部８５の外周にはつば状に張り出してその外周端が排気ホース１２０側に突出する形状の覆い部８６が形成されている。一方排気ホース１２０の取付部１２１の部分にはカサ状に広がるヘッド部１２５が設けられている。このヘッド部１２５は着脱部８５から外した状態でペットに直接当てて毛を吸引したり、ブラッシング装置１内や室内に飛散している毛を直接吸い込ませるためのものである。なおヘッド部１２５の外周に植毛しブラシのようにしても良い。ケース本体部８０の前記窓７３の両側位置には手挿入口８７が設けられている。手挿入口８７はケース本体部８０に円形の開口８９を形成すると共に、この開口８９を覆うように腕カバー９１を取り付けて構成されている。腕カバー９１は可撓性を有し、その中央に腕を挿入するのにちょうどいい大きさの孔９３を設けている。この腕カバー９１は例えば合成樹脂フイルム、ゴム、布等によって構成される。腕カバー９１には弛みが設けられており、孔９３に腕を差し込んだ際は腕カバー９１全体がケース７０内に入り込む。
【００２８】
ケース本体部８０の内側壁の窓７３の下方の位置には、ブラッシング用器具収納ポケット９５が設けられている。このブラッシング用器具収納ポケット９５には、例えばブラシ、櫛、ハサミなど、ペットのブラッシングに必要な各種道具が収納される。このブラッシング用器具収納ポケット９５は、前記手挿入口８７から挿入した手が届く位置に設けられている。ケース本体部８０のペット出入口８１の周囲にはこれを囲むようにパッキン９７が装着されている。パッキン９７は弾性を有するゴムや合成樹脂などによって構成されている。
【００２９】
蓋部１００は、前記ケース本体部８０のペット出入口８１を塞ぎ、その外周下面がパッキン９７に当接する外形形状を有している。蓋部１００の上面中央付近には、この蓋部１００を着脱する際に掴む取手部１０１（図４参照）が形成されている。また蓋部１００の一方の端部近傍には窓７３が取り付けられている。前述のように窓７３は透明であり、その他の部分は不透明である。窓７３は中央部分が上方向に凸状に突出する湾曲面形状となっていて、ケース７０の外部からペット収納空間Ａ１内のほぼ全体が見える形状・大きさに形成されており、その所定位置には複数個（この例では５つ）の小孔からなる音声透過部１０３が設けられている。ペット出入口８１を塞いだ蓋部１００の左右両側の位置には、一対の着脱用ロック部１０５（図２など参照）が設置されている。着脱用ロック部１０５はペット出入口８１を塞いだ蓋部１００をワンタッチでケース本体部８０に固定するものであり、逆にこれらのロックをワンタッチで解除することで蓋部１００の固定を解除するものである。
【００３０】
この着脱用ロック部１０５と同様の構造の着脱用ロック部１０７がケース本体部８０（ケース７０）と基台本体２０（基台１０）との間に設置されている。即ち着脱用ロック部１０７は、基台本体２０の上部に設置したケース本体部８０をワンタッチで基台本体２０に固定するものであり、逆にこれらのロックをワンタッチで解除することでケース本体部８０の固定を解除するものである。
【００３１】
上記ケース７０の構造も複雑な形状になっていないので、ペットの毛が溜まりにくく、このためケース７０の分解清掃も容易に行える。
【００３２】
なお以上説明したブラッシング装置１を構成する各部材は、これに導電性を持たせ、これによってブラッシングの際に発生する静電気を効果的に除去できるようにすることが望ましい。具体的には、基台１０を構成する各部材（基台本体２０，ターンテーブル５０など）や、ケース７０を構成する各部材（ケース本体７１，窓７３など）を導電性を有する合成樹脂材で構成したり、それらの表面に導電層を形成したりする。
【００３３】
次にブラッシング装置１の組立方法を説明する。予めケース本体部８０のペット出入口８１を蓋部１００で塞いで着脱用ロック部１０５によって両者間を一体に固定しておく。そして図５に示すように、脚部３０を立てた基台本体２０上面の各ボール受け部２３にボール３５を挿入し、その上に蓋３７を被せ、回転することで蓋３７外周のオネジを蓋取付部２５内周のメネジに螺合し、ボール３５を各ボール受け部２３内に設置する。このとき蓋３７の上面と基台本体２０の上面はほぼ同一面となり、ボール３５の上部は蓋３７のボール露出孔３９から上方に向かって突出する。
【００３４】
次にこの基台本体２０上にターンテーブル５０を載置し、その際、ターンテーブル５０の軸部５３を基台本体２０の軸支部２１に挿入し、同時に各ボール３５の上部をターンテーブル５０の溝５５に当接する。これによってターンテーブル５０は軸部５３を中心にスムーズに回転する。次に基台本体２０上に前記ケース７０を被せ、着脱用ロック部１０７によって基台本体２０上にケース７０を固定する。これによってブラッシング装置１が完成する。なお上記組立手順はその一例であり、他の各種異なる組立手順を用いて組み立てても良いことはいうまでもない。
【００３５】
次にブラッシング装置１の使用方法を説明する。まず図７に示すようにケース７０の排気部８３の着脱部８５に排気ホース１２０の取付部１２１を圧入して接続する。次に排気ホース１２０の他端に取り付けた取付部１２３を掃除機１３０のホース１３１の先端に取り付けた取付部１３３に接続する。なお猫Ｃ１（図８参照）は、一般に掃除機１３０の駆動音が嫌いなので、掃除機１３０はブラッシング装置１からできるだけ離れた位置（例えばベランダや別の部屋）に配置するのが好ましい。
【００３６】
次に着脱用ロック部１０５のロックを解除することで図９に示すように蓋部１００を取り外し、解放したペット出入口８１からペット収納空間Ａ１内にペットとしてこの例では猫Ｃ１（図８参照）を入れ、ターンテーブル５０上に載置する。そして再びペット出入口８１に蓋部１００を被せ、着脱用ロック部１０５にてこれをロックする。
【００３７】
次に図７に示す掃除機１３０の電源を入れてこれを駆動する。これによって排気部８３からペット収納空間Ａ１内の空気が排気される。ペット収納空間Ａ１内には手挿入口８７（腕カバー９１の孔９３）と、音声透過部１０３から外部の空気が吸い込まれるが、音声透過部１０３の各孔は小さいので、多くの空気は手挿入口８７から吸い込まれる。そして図８に示すようにケース７０の両方の手挿入口８７の腕カバー９１の孔９３に手を入れる。そして猫Ｃ１のブラッシングを行う。ブラッシングはブラシで猫の毛をすいたり、ハサミで切ったりすることで行う。これによって抜け毛などが発生するが、抜け毛などは排気部８３から吸い出されて掃除機１３０に吸引される。このときペット収納空間Ａ１内は負圧なので、前述のように手挿入口８７と音声透過部１０３から外部の空気が吸い込まれ、排気部８３以外の部分から抜け毛などが出ていくことはない。特に手挿入口８７の孔９３とこれに挿入した腕の間から吸い込まれる空気は流速が早く、このため腕及び手に付いた毛が腕の周囲の流速の早い空気流によって効果的に取り除かれるので好適である。
【００３８】
そしてブラッシングの際、ターンテーブル５０に載せた猫Ｃ１を手によって回転すれば、ターンテーブル５０と共に容易に猫Ｃ１を回転することができてその姿勢を変えることができ、猫Ｃ１の全身のブラッシングを容易且つ確実に行うことができる。前述のように従来の装置の場合、猫Ｃ１の姿勢を変えようとすると、猫Ｃ１はこれに抵抗し、容易には猫Ｃ１の姿勢を変えることができなかった。特にこのブラッシング装置１のようにペット収納空間Ａ１が小さいとなおさらである。これに対して本願のブラッシング装置１の場合、ターンテーブル５０を設置しているので、前述のように猫Ｃ１の姿勢を力ずくで変更させる必要はなく、ターンテーブル５０と一緒に猫Ｃ１を回転することで、猫Ｃ１の姿勢を容易に変更することができる。
【００３９】
またこのブラッシング装置１の場合、ケース７０の窓７３以外の部分は不透明で高さが低く、このため内部は外部から見えにくい暗くて狭い場所になるが、前述のように猫Ｃ１は狭くて暗い場所に入るのを好むので、猫Ｃ１は安心してその中に入っていることができ、暴れたりしない。この点からさらに猫Ｃ１のブラッシングを容易且つ確実に行うことができる。
【００４０】
またこのブラッシング装置１の場合、窓７３に小孔からなる音声透過部１０３を設けているので、ブラッシングを行う人（飼い主など）の声が猫Ｃ１に聞こえ易く、猫Ｃ１により安心感を与えることができ、この点からも猫Ｃ１のブラッシングが容易且つ確実に行えるようになる。
【００４１】
またこのブラッシング装置１の場合、窓７３はケース７０上面の外周近傍位置に設けられ、且つ手挿入口８７はケース７０の窓７３の両側位置に設けられ、さらにケース７０は、窓７３の部分の高さよりもその他の部分の高さを低く構成することでペット収納空間Ａ１の容積を小さくしているので、人が両方の手挿入口８７から手を入れて窓７３から猫Ｃ１を見ながら（且つ声をかけながら）猫Ｃ１のブラッシングを行う作業を容易に行うことができる。一方、ケース７０の窓７３を設けていない部分はその高さが低いので、ペット収納空間Ａ１の容積を小さくでき、狭くて暗い場所で安心する猫Ｃ１に好適なペット収納空間Ａ１となる。またペット収納空間Ａ１の容積を小さくできるので、排気効果が増大し、より効果的な抜け毛などの排出が行える。つまり人にとって猫Ｃ１のブラッシング作業が行い易く且つ排気効果の大きい構造であると同時に猫Ｃ１にとっても快適な空間となって騒ぐことを防止でき、これらの相乗効果によって猫Ｃ１のブラッシングが容易且つ確実に行えるようになる。
【００４２】
また猫Ｃ１のブラッシングは、ケース７０内のブラッシング用器具収納ポケット９５内に収納しているブラシ、櫛、ハサミなどによって行うので、一々手挿入口８７から手を抜き出して異なるブラッシング用器具に持ち替えて再び手挿入口８７から手を挿入する必要はなく、ケース７０内に手を挿入したままでブラッシング用器具を持ち替えることができ、ブラッシング作業性が向上するばかりか、猫Ｃ１の毛が手挿入口８７から外部に出ることも防止できる。
【００４３】
さらにこのブラッシング装置１の場合、基台１０に複数本の脚部３０を取り付け、且つこれら脚部３０にその長さを調節する長さ調節手段４５を設けたので、必要に応じて基台１０及びケース７０の高さを調整でき、この点からもブラッシング作業が容易に行えるようになる。
【００４４】
またこのブラッシング装置１の場合、ケース７０の排気部８３が、ケース７０から斜め下方に向けて管状に突出しているので、この排気部８３に接続する排気ホース１２０の向きを斜め下向きに向けることができ、このため図７に示すように、排気ホース１２０を容易に床上に這わせることができ、安定させることができる。
【００４５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、基台，ケース，排気ホース，ターンテーブル，窓などの形状や構造や設置位置は種々の変更が可能であることは言うまでもない。
【００４６】
また上記実施形態ではペットとして主として猫をブラッシングすることについて述べたが、犬やハムスターなどの他の各種ペットについても同様にブラッシングできることは言うまでもない。
【符号の説明】
【００４７】
１  ブラッシング装置（ペット用ブラッシング装置）
１０  基台
２０  基台本体
３０  脚部
３５  ボール
４１  第１脚部
４３  第２脚部
４５  長さ調節手段
５０  ターンテーブル
７０  ケース
Ａ１  ペット収納空間
７１  ケース本体
７３  窓
８０  ケース本体部
８１  ペット出入口
８３  排気部
８７  手挿入口
９１  腕カバー
９５  ブラッシング用器具収納ポケット
１００  蓋部
１０３  音声透過部
１２０  排気ホース
【図１】
2012175919.tif 000003
【図２】
2012175919.tif 000004
【図３】
2012175919.tif 000005
【図４】
2012175919.tif 000006
【図５】
2012175919.tif 000007
【図６】
2012175919.tif 000008
【図７】
2012175919.tif 000009
【図８】
2012175919.tif 000010
【図９】
2012175919.tif 000011